(57)【特許請求の範囲】
【請求項１】
フレーム内に間仕切りを装着するとともに、フレームの前面に餌樋を横方向へ延長支持したケージシステムにおいて、
前記餌樋の上端外縁とフレームまたは間仕切りとの間には、複数の補強材を架設したケージシステム。
【請求項２】
前記補強材の先端をネジにより餌樋の接続部にジョイントを介して固定した請求項１に記載のケージシステム。
【請求項３】
前記補強材の先端を係止部材により餌樋の上端外縁に係止した請求項１に記載のケージシステム。
【発明の詳細な説明】
【０００１】
【発明の属する技術分野】
この発明は、鶏の飼育等に使用するケージシステムに関するものである。
【０００２】
【従来の技術】
従来のこの種のケージシステムにおいては、フレーム内に間仕切りが上下に複数段装着されている。そして、各間仕切りにより区画される空間内にケージがそれぞれ配設され、各ケージ内に鶏を収容して飼育するようになっている。また、各間仕切りと対応するように、フレームの前面には餌樋が横方向へ延長支持され、これらの餌樋に入れた餌を各ケージ内の鶏が啄むようになっている。
【０００３】
【発明が解決しようとする課題】
ところが、この従来のケージシステムにおいては、餌樋の底部が取付金具によりフレームに固定されるとともに、上端内縁が係止金具によりフレームに係止されいて、上端外縁がフリーな状態にある。このため、養鶏作業者が餌樋の上端外縁に上がって、餌やり等の作業を行った場合、餌樋の上端外縁が外方に変形するという問題があった。
【０００４】
この発明は、このような従来の技術に存在する問題点に着目してなされたものである。その目的とするところは、養鶏作業者が餌樋の上端外縁に上がって、餌やり等の作業を行った場合、その餌樋の上端外縁が外方に変形するおそれを防止することができるケージシステムを提供することにある。
【０００５】
【課題を解決するための手段】
上記の目的を達成するために、請求項１に記載の発明では、フレーム内に間仕切りを装着するとともに、フレームの前面に餌樋を横方向へ延長支持したケージシステムにおいて、前記餌樋の上端外縁とフレームまたは間仕切りとの間には、複数の補強材を架設したものである。
【０００６】
請求項２に記載の発明では、請求項１に記載のケージシステムにおいて、前記補強材の先端をネジにより餌樋の接続部にジョイントを介して固定したものである。
【０００７】
請求項３に記載の発明では、請求項１に記載のケージシステムにおいて、前記補強材の先端を係止部材により餌樋の上端外縁に係止したものである。
さて、請求項１に記載のケージシステムにおいては、餌樋の上端外縁とフレームまたは間仕切りとの間に複数の補強材が架設され、これらの補強材により、餌樋の上端外縁がフレームまたは間仕切りに連結固定されている。このため、養鶏作業者が餌樋の上端外縁に上がって、餌やり等の作業を行った場合でも、その餌樋の上端外縁が外方に変形するおそれはない。
【０００８】
請求項２に記載のケージシステムにおいては、餌樋の接続部にジョイントを取り付けるためのネジを利用して、フレームから延びる補強材の先端を、餌樋の上端外縁に固定することができる。
【０００９】
請求項３に記載のケージシステムにおいては、間仕切りから延びる補強材の先端を、係止部材により餌樋の上端外縁に容易に係止することができる。
【００１０】
【発明の実施の形態】
以下に、この発明の一実施形態を、図面に基づいて詳細に説明する。
図１に示すように、ケージシステムのフレーム１１は、複数の縦材１２及び図示しない複数の横材により枠状に形成されている。間仕切り１３はフレーム１１内に上下方向へ所定間隔おきに複数段装着され、後板１４と複数の仕切り板１５とを備えている。ケージ１６は間仕切り１３の各仕切り板１５によって区画される空間内にそれぞれ配設され、これらのケージ内に鶏を収容して飼育するようになっている。
【００１１】
図２及び図３に示すように、取付金具１７は前記各段の間仕切り１３と対応するように、フレーム１１の各縦材１２の前面に突設されている。突出部１８は各取付金具１７の上方に所定間隔をおいて位置するように、フレーム１１の各縦材１２の前面に突設されている。
【００１２】
餌樋１９は前記取付金具１７上に載置した状態で、固定金具２０、ネジ２１及びナット２２により取付金具１７に固定され、その上端内縁及び上端外縁には折返し部１９ａ，１９ｂが形成されている。そして、この餌樋１９の上端内縁の折返し部１９ａが突出部１８の下端に係合されて、フレーム１１の前面に係止保持されている。
【００１３】
また、前記餌樋１９は所定長さのものを対向端縁において互いに接続し、それらの接続部の外面に所定幅のジョイント２３を接合した状態でネジ２４にて固定することにより、所望長さだけ延長されている。
【００１４】
図１及び図２に示すように、複数の補強材としての断面Ｌ形状の第１補強金具２６は基端において、リベット２７により前記フレーム１１の各縦材１２に固定され、それらの先端には尖鋭部２６ａ及び固定座２６ｂが形成されている。そして、この第１補強金具２６の尖鋭部２６ａが餌樋１９の上端外縁の折返し部１９ｂに係合された状態で、前記ネジ２４がジョイント２３及び餌樋１９を介して、第１補強金具２６の固定座２６ｂに螺合されることにより、餌樋１９の上端外縁が第１補強金具２６の先端に固定されている。
【００１５】
図１及び図３に示すように、複数の補強材としての断面Ｌ形状の第２補強金具２８は基端において、ボルト２９及び図示しないナットにより前記間仕切り１３の仕切り板１５に固定され、それらの先端には尖鋭部２８ａが形成されるとともに、係止部材３０がボルト３１により取り付けられている。そして、この第２補強金具２８の尖鋭部２８ａが餌樋１９の上端外縁の折返し部１９ｂに係合された状態で、その折返し部１９ｂの外面に係止部材３０が係合されることにより、餌樋１９の上端外縁が第２補強金具２８の先端に係止保持されている。
【００１６】
次に、前記のように構成されたケージシステムの作用を説明する。
さて、このケージシステムにおいては、餌樋１９の上端外縁とフレーム１１の縦材１２との間に第１補強金具２６が架設されるとともに、餌樋１９の上端外縁と間仕切り１３の仕切り板１５との間に第２補強金具２８が架設されている。そして、これらの補強金具２６，２８により、餌樋１９の上端外縁がフレーム１１及び間仕切り１３に対して強固に連結固定されている。このため、養鶏作業者が餌樋１９の上端外縁、あるいは補強金具２６，２８上に上がって、餌やり等の作業を行った場合でも、その餌樋１９の上端外縁が外方に湾曲変形するおそれはない。
【００１７】
前記の実施形態によって期待できる効果について、以下に記載する。
（ａ）  この実施形態のケージシステムにおいては、餌樋１９の上端外縁とフレーム１１及び間仕切り１３との間に、複数の補強材としての補強金具２６，２８が架設されている。このため、養鶏作業者が餌樋１９の上端外縁に上がって、餌やり等の作業を行った場合、その餌樋１９の上端外縁が外方に変形するおそれを防止することができる。
【００１８】
（ｂ）  この実施形態のケージシステムにおいては、第１補強金具２６の基端がフレーム１１に固定されるとともに、先端がネジ２４により餌樋１９の接続部にジョイント２３を介して固定されている。このため、餌樋１９の接続部にジョイント２３を取り付けるためのネジ２４を利用して、フレーム１１から延びる第１補強金具２６の先端を、餌樋１９の上端外縁に固定することができる。
【００１９】
（ｃ）  この実施形態のケージシステムにおいては、第２補強金具２８の基端が間仕切り１３に固定されるとともに、先端が係止部材３０により餌樋１９の上端外縁に係止されている。このため、間仕切り１３から延びる第２補強金具２８の先端を、係止部材３０により餌樋１９の上端外縁に容易に係止することができる。
【００２０】
なお、この発明は、次のように変更して具体化することも可能である。
（１）  前記実施形態では第２補強金具２８に係止部材３０をボルト３１により固定したが、係止部材３０に相当する部分を第２補強金具２８に一体形成すること。このように構成すれば、部品点数を少なくすることができる。
【００２１】
（２）  第１、第２補強金具２６、２８を餌樋１９の上端縁に一体形成すること。このように構成しても、部品点数を少なくすることができる。
【００２２】
【発明の効果】
この発明は、以上のように構成されているため、次のような効果を奏する。
請求項１に記載の発明によれば、養鶏作業者が餌樋の上端外縁に上がって、餌やり等の作業を行った場合、その餌樋の上端外縁が外方に変形するおそれを防止することができる。
【００２３】
請求項２に記載の発明によれば、餌樋の接続部にジョイントを取り付けるためのネジを利用して、フレームから延びる補強材の先端を、餌樋の上端外縁に固定することができる。
【００２４】
請求項３に記載の発明によれば、間仕切りから延びる補強材の先端を、係止部材により餌樋の上端外縁に容易に係止することができる。
【図面の簡単な説明】
【図１】  この発明のケージシステムの一実施形態を示す部分斜視図。
【図２】  図１の２−２線における断面図。
【図３】  図１の３−３線における断面図。
【符号の説明】
１１…フレーム、１２…縦材、１３…間仕切り、１５…仕切り板、１６…ケージ、１７…取付金具、１８…突出部、１９…餌樋、１９ａ…内縁折返し部、１９ｂ…外縁折返し部、２３…ジョイント、２４…ネジ、２６…補強材としての第１補強金具、２７…リベット、２８…補強材としての第２補強金具、２９…ボルト、３０…係止部材。
【図１】
0003828964.tif 000002
【図２】
0003828964.tif 000003
【図３】
0003828964.tif 000004